(57)【要約】【課題】雨水、雪等の侵入を防止し、かつ、運動によって発汗しやすい部分である大腿部後背面及び膝部分に効率よく最適な通風性を兼ね備えるとともに、屈伸性が良く、運動において着用するのに好適な優れた機能性を有する防水性ズボン、さらに、デザイン上も感じが良くファッション性に優れた防水性ズボン、さらに、部品点数が少なく、構造も複雑でなく、製造容易である防水性ズボンを提供すること。【解決手段】雨水、雪等の直接の侵入を防止し、かつ通気性を高めるためのベンチレーション部２０を脚部１０に備えた防水性ズボン１００であって、前記ベンチレーション部２０を、大腿部後背面と、膝下の略全周とに設けたことを特徴とする。【選択図】  図１
2004300618.tif 000002
【特許請求の範囲】
【請求項１】
雨水、雪等の直接の侵入を防止し、かつ通気性を高めるためのベンチレーション部を脚部に備えた防水性ズボンであって、
前記ベンチレーション部を、大腿部後背面と、膝下の略全周とに設けたことを特徴とする防水性ズボン。
【請求項２】
雨水、雪等の直接の侵入を防止し、かつ通気性を高めるためのベンチレーション部を脚部に備えた防水性ズボンであって、
前記ベンチレーション部を、大腿部後背面と、膝下の略全周とに設けるとともに、
脚部の長さを調整するために、長さ調整用機構を前記膝下のベンチレーション部に設けたことを特徴とする防水性ズボン。
【請求項３】
ベンチレーション部は、表地に設けられた開口と、表地の裏側に配置されたメッシュ状の裏地とからなることを特徴とする請求項１又は２に記載の防水性ズボン。
【請求項４】
膝下の略全周に設けられるベンチレーション部は、筒状に形成したメッシュ状の裏地の上端部を膝関節の上部近辺において、大腿部の表地と縫い合わされることで構成されていることを特徴とする請求項１〜３の何れかに記載の防水性ズボン。
【請求項５】
ベンチレーション部は、メッシュ状の裏地と、少なくとも下端部においてその裏地と互いに縫着されていない表地とからなり、
長さ調整用機構は、膝下のベンチレーション部であって前記メッシュ状の裏地上に、非伸縮性のテープ状布を介して取着してあることを特徴とする請求項２記載の防水性ズボン。
【請求項６】
長さ調整用機構は、凹凸状のスナップボタンから構成された係止具からなり、当該係止具のうち該凹状又は凸状の何れかのスナップボタンが少なくとも上下方向に２箇所以上形成されていることを特徴とする請求項２又は５に記載の防水性ズボン。
【請求項７】
最下段に位置する係止具の凹状又は凸状の何れかのスナップボタンは、膝下のベンチレーション部の内側に位置する表地の裏側に配置されて他のスナップボタンに対向する向きに取り付けられていることを特徴とする請求項６記載の防水性ズボン。
【発明の詳細な説明】
【０００１】
【発明の属する技術分野】
本発明は、ジョギング、トレーニング、テニスなどの運動において着用するスポーツウエア或いはウインドブレーカー等のズボンとして用いるのに好適な防水性ズボン、又はゴルフなどの運動において着用するに適した雨天用ズボン或いはズボンに重ね着するカバーズボンとなる防水性ズボンに関するものである。
【０００２】
【従来の技術】
従来の防水性ズボンとして、ズボンの膝部分の高さ位置において、表地を折り重ねてズボン丈を調節できるように、膝部分に、係合離脱可能な係止具を上下間隔をあけて配設したオーバーズボンがある（特許文献１〜３参照）。
【０００３】
一方、ズボンの上脚部に、この上脚部とは別体の下脚部を係止具により着脱自在に装着できるように構成したオーバーズボンがある（特許文献４参照）。
【０００４】
さらに、上記上脚部と下脚部とから構成されるズボンにおいて、上脚部と下脚部との間に通風材を介在させて上脚部と下脚部とを連結させ、上脚部の裏面側から周方向に間隔をあけて垂下させた股下長さ調節用のベルト布と、このベルト布の所要位置に固着させるために下脚部の上端に取り付けた止具とを備えたズボンがある（特許文献５参照）。
【０００５】
これらのオーバーズボン等によれば、ズボン股下の長さ、裾が長すぎたり、短すぎたりすることによる不都合や裾上げの手間を解消でき、着用中に長さの選択、調整できる。
【０００６】
【特許文献１】実用新案登録第３０４９０３８号公報（請求項１，第１図）長さ調節機能付ズボン
【特許文献２】特開平９−２５６２０６号公報（請求項１，第１図）オーバーズボン
【特許文献３】実開平４−６４５１０号公報（請求項１，第２図）防雨ズボン
【特許文献４】実開平５−３７９０８号公報（請求項１、第１図）オーバーズボン
【特許文献５】特開２０００−１９９１０７号公報（請求項１，第３図）ズボン
【０００７】
【発明が解決しようとする課題】
しかしながら、特許文献１〜４の長さ調節機能付ズボン等は、雨水、雪等の直接の侵入を防止し、かつ通気性を高めるためのベンチレーション部を脚部に備えたものではなく、ズボン内部の発汗などによる蒸れの解消について全く考慮されていない。さらに、特許文献１〜３の長さ調節機能付ズボン等は、股下長さを調節するためにズボンの表地に設けてある係止具を折り返すから、その折り返し部が膝部分にあると特に屈伸運動の際の邪魔になり運動性能を阻害するし、係止具が膝部分に当たる場合には痛い。また、大腿部後背面及び膝部分は運動によって発汗しやすい部分であり、非通風性、非浸水性の素材からなる雨天用ズボンでは、このように布を重ねることによりさらに蒸れが生じやすい。さらに、この長さ調節機能付ズボン等は、股下長さが短いためにズボン長さを調節していることが外観上一目で識別でき、着用者にとっては感じの悪いものとなる。デザイン上も感じの良いものではない。また、股下長さを調節する際には、係止具を係止するためにズボン表地をいちいち折り返さなければならず煩雑である。
【０００８】
一方、特許文献４のオーバーズボンは、上脚部と、下脚部とが別体に構成されているので、これらをホック、ボタン等の係止具を用いて装着した場合には、運動によっては表地に歪み、撓みが生じ、その上脚部と下脚部との間に隙間が生じ、従って当該隙間から雨水、雪等の直接の侵入が生じる。雨水等の侵入があると、ズボン内部が濡れべとべとして着用感が良くなく、ズボンに重ね着した場合には中のズボンが濡れてしまう。係止具に面ファスナーを用い上脚部及び下脚部の全周に取り付けた場合には、ヨレが生じやすいし、ファスナーでは重くなるとともに価格が高い。
【０００９】
特許文献５のズボンは、ズボン内部の蒸れを解消することを考慮しているものではあるが、上脚部の裏面側に垂下させたベルト布に下脚部の上端に取り付けた止具を係合させて装着するので、下脚部が安定せず運動により下脚部が引っ張られたり撚れたり弛んでしまうし、運動に伴って追随できずズレが生じ着用者の脚に当たって邪魔であり、着用感が良くない。また、特に運動によって発汗しやすい大腿部後背面に通風材が存在しないので、大腿部後背面における通風性が悪く、蒸れが生じ、着用感が良くない。さらに、股下長さ調節用のベルト布により股下長さを最短に調節した場合には、上脚部と下脚部とが当接するほどになりメッシュ状の通風材の面積がほとんどなくなるため、膝下部の通風性も良くなく、着用感が決して良いものではない。これに対し、股下長さを最長に調節した場合には、屈伸等すると上脚部がメッシュ状の通風材をカバーすることができない場合が生じ、雨水、雪等の侵入が生じる。デザイン上も良くない。
【００１０】
さらに、この特許文献５のズボンは、上脚部の裏面側にベルト布を垂下した状態に取り付けてあり、構造が複雑であり、製造が非常に繁雑である。
【００１１】
そこで、本発明は以上のような問題点に鑑みてなされたものであり、その目的は、雨水、雪等の侵入を防止し、かつ、運動によって発汗しやすい部分である大腿部後背面及び膝部分の通風性も兼ね備えるとともに、屈伸性が良く、運動において着用するのに好適な優れた機能性を有する防水性ズボンを提供することである。
さらに、本発明の目的は、股下長さ調整用であることが外観上一目でわかるものではなくデザイン上も感じが良くファッション性に優れた股下長さを調整できる防水性ズボンを提供することである。
さらに、部品点数が少なく、構造も複雑でなく、製造容易である防水性ズボンを提供することである。
【００１２】
【課題を解決するための手段】
上記課題を解決するため、本願請求項１記載の発明に係る防水性ズボンは、図面に使用する符号を付して説明すると、「雨水、雪等の直接の侵入を防止し、かつ通気性を高めるためのベンチレーション部２０を脚部１０に備えた防水性ズボン１００であって、前記ベンチレーション部２０を、大腿部後背面と、膝下の略全周とに設けた」ところに特徴を有するものである。
【００１３】
すなわち、ベンチレーション部２０とは、雨水、雪、ゴミ等の直接の侵入を防止できるとともに、通気又は通風が可能となるものである。そして、請求項１記載の発明に係る防水性ズボン１００は、ベンチレーション部２０を、図１に示すように、大腿部後背面のベンチレーション部２０ａと膝下のベンチレーション部２０ｂとに２段設けたところに特徴を有するものである。特に、図３に示すように、大腿部後背面のベンチレーション部２０ａを、大腿部の全面には設けず後背面に設け、膝下のベンチレーション部２０ｂを略全周に設けたことにより、着衣時の例えば屈伸運動等による膝を曲げた場合においても、雨水、雪等の侵入が防止でき、着用感が良いとともに、運動の際に特に発汗しやすい大腿部後背面にベンチレーション部２０ａを設けたので、効率よく最適なベンチレーション２０ａがあることにより通気性が良くなる。また、防水性ズボン１００の大腿部後背面と膝下の略全周とにベンチレーション部２０を設けたことにより、膝部近傍において、運動の際に、膝の屈伸性が良くなり、膝の動きに防水性ズボンの脚部が追随し、ズレが生じにくく、優れた運動性能を有するのである。
【００１４】
また、上記課題を解決するために、請求項２記載の発明に係る防水性ズボンは、「雨水、雪等の直接の侵入を防止し、かつ通気性を高めるためのベンチレーション部２０を脚部１０に備えた防水性ズボン１００であって、前記ベンチレーション部２０を、大腿部後背面と、膝下の略全周とに設けるとともに、脚部１０の長さを調整するために、長さ調整用機構３０を前記膝下のベンチレーション部２０ｂに設けた」ところに特徴を有するものである。
【００１５】
すなわち、これにより、ベンチレーション部２０を、防水性ズボン１００の大腿部後背面と膝下の略全周とに設けたことによる請求項１記載の発明に係る防水性ズボン１００と同様の作用を有するとともに、脚部１０の股下長さを調整することができる。特に、長さ調整用機構３０を膝下のベンチレーション部２０ｂに設けたことにより、縫い目が外側にないため、雨水、雪等の侵入が少ないし、折り返し部が形成されることもないので、運動の邪魔になることがない。さらに、長さ調整用機構３０が外観上一目でわかるものではなくデザイン上も感じが良くファッション性に優れる。
【００１６】
また、上記課題を解決するために、請求項３記載の発明に係る防水性ズボンは、請求項１又は２に記載の防水性ズボン１０において、「ベンチレーション部２０は、表地１３，１４，１５に設けられた開口１３ａ，１４ａ，１５ａと、表地１３，１４，１５の裏側に配置されたメッシュ状の裏地４，５とからなる」ところに特徴を有するものである。
【００１７】
また、上記課題を解決するために、請求項４記載の発明に係る防水性ズボンは、請求項１〜３の何れかに記載の防水性ズボン１００において、「膝下の略全周に設けられるベンチレーション部２０ｂは、筒状に形成したメッシュ状の裏地４の上端部を膝関節の上部近辺において、大腿部の表地１１，１３，１５と縫い合わされることで構成されている」ところに特徴を有するものである。
【００１８】
また、上記課題を解決するために、請求項５記載の発明に係る防水性ズボンは、請求項２記載の防水性ズボン１００において、「ベンチレーション部２０は、メッシュ状の裏地４，５と、少なくとも下端部においてその裏地４，５と互いに縫着されていない表地１３，１４，１５とからなり、長さ調整用機構３０は、膝下のベンチレーション部２０ｂであって前記メッシュ状の裏地４上に、非伸縮性のテープ状布３６を介して取着してある」ところに特徴を有するものである。
【００１９】
さらに、上記課題を解決するために、請求項６記載の発明に係る防水性ズボンは、請求項２又は５に記載の防水性ズボン１００において、「長さ調整用機構３０は、凹凸状のスナップボタン３１，３２から構成された係止具３５からなり、当該係止具３５のうち該凹状又は凸状の何れかのスナップボタン３１又は３２が少なくとも上下方向に２箇所以上形成されている」ところに特徴を有するものである。
【００２０】
上記課題を解決するために、請求項７記載の発明に係る防水性ズボンは、請求項６記載の防水性ズボン１００において、「最下段に位置する係止具３５の凹状又は凸状の何れかのスナップボタン３１又は３２は、膝下のベンチレーション部２０ｂの内側に位置する表地１２の裏側に配置されて他のスナップボタン３２又は３１に対向する向きに取り付けられている」ところに特徴を有するものである。
【００２１】
【発明の実施の形態】
本発明の実施の形態を実施例に基づき説明する。
本発明に係る防水性ズボンは、
１）雨水、雪等の直接の侵入を防止し、
２）効率の良い最適なベンチレーション部を有し、
３）運動性が良く、
４）製造容易であり、
５）デザイン性も良く、
６）股下長さの調整が簡単かつ容易である
という課題の全てを考慮して、鋭意検討した結果、成されたものであって、ベンチレーション部を、大腿部後背面と、膝下の略全周とに設けたものである。
【００２２】
防水性ズボンは、ベンチレーション部を脚部に備えた防水性ズボンであれば良く、例えばジョギング、トレーニング、テニス、ゴルフなどの運動において脚に直接着用するスポーツウエアとして用いても良いし、ズボンに重ね着するカバーズボンとして用いても良く、さらにはウインドブレーカー等のズボン或いはゴルフなどの運動において着用するに適した雨天用ズボンとして用いる防水性ズボン等いかなるものであっても良い。
【００２３】
ベンチレーション部は、大腿部後背面と、膝下の略全周とに設けることにより、運動の際に特に発汗しやすい大腿部後背面と膝下に、効率よく、最適なベンチレーション部となるものである。さらに、ベンチレーション部は、表地に設けられた開口と、その表地の裏側に配置されたメッシュ状の裏地とから構成することが、部品点数が少なく、構造も複雑でなく、製造容易であることから、好ましい。その際、表地に設けられた開口は、当該表地が内側に位置する表地の上側部をオーバーラップする（覆う）ように形成すると、屈伸した際に内側に位置するメッシュ状の裏地が見えず、より雨水等の侵入を防止できるとともに、デザイン上も好ましい。さらに、膝下の略全周に設けられるベンチレーション部は、筒状に形成したメッシュ状の裏地の上端部を膝関節の上部近辺において、大腿部の表地と縫い合わされていると、脚部の安定性が良く、膝の動きにスムーズに追随し、下脚部のズレ、弛みが生じにくく好ましい。また、デザイン上も感じが良く好ましい。
【００２４】
さらに、脚部の長さを調整するために、長さ調整用機構を膝下のベンチレーション部に設けると良い。特に、長さ調整用機構は、膝下のベンチレーション部を構成する一要素である、筒状に形成したメッシュ状の裏地上に、略全周に、非伸縮性のテープ状布を介して取着してあると、雨水、雪等の侵入が少なく、屈伸性も良く膝の動きの邪魔にならず運動性能が良い。また、長さ調整用機構がテープ状布を介して固定してあると、その製造自体は煩雑でなく製造しやすいし、股下長さを調整する際にズレ、弛みが生じにくく、長さ調整をしやすい。勿論、長さ調整用機構は、メッシュ状の裏地の膝下に相当する位置に取着してあることにより、股下長さを最短した場合にはメッシュ状の裏地が膝上に介在し、一方股下長さを最長の長さに調整した場合には膝下にメッシュ状の裏地がベンチレーション部を構成する表地にオーバーラップされた状態で介在し、何れの場合にも雨水等の侵入を防止できるとともに、通風性に優れることに変わりない。勿論、デザイン上も良い。
【００２５】
さらに、長さ調整用機構は、凹凸状のスナップボタンから構成された係止具からなり、当該係止具のうち該凹状又は凸状の何れかのスナップボタンが少なくとも上下方向に所定間隔をあけて２箇所以上形成されていると、安価かつ複雑でない構造により股下長さを容易に調整することができる。また、最下段に位置する係止具の凹状又は凸状の何れかのスナップボタンが、表地の裏側に配置されて他のスナップボタンに対向する向きに取り付けられていると、股下長さ調整時に、表地を折り返す必要がなく、調整作業が簡単かつ容易である。
【００２６】
（実施例１）
実施例１を図１を参照して説明する。図１は、本発明をゴルフなどの運動において着用するに適した雨天用ズボンに適用した例であり、本発明の防水性ズボン１００は、脚部１０と、ベンチレーション部２０とを備えている。なお、本実施例の防水性ズボン１００は、請求項１、３、４に係る発明の全てを含むものである。
【００２７】
脚部１０は、図２に示すように、例えばナイロン、テトロン等の軽量な防水性素材からなる表地１１，１２，１３，１４，１５と、メッシュ状の裏地４，５とからなるものである。なお、メッシュ状の裏地４，５は、図示したものに何ら限定されるものではなく、例えば上脚部表地１１の裏側、又は下脚部表地１２の裏側、又は表地１１，１２，１３，１４，１５の全ての裏側に設けられていても良い。
【００２８】
ベンチレーション部２０は、大腿部後背面のベンチレーション部２０ａと、膝下のベンチレーション部２０ｂとからなる。大腿部後背面のベンチレーション２０ａは、膝後表地１４の上側部を約６ｃｍ程オーバーラップする大腿後背表地１５に設けられた開口１５ａと、大腿後背表地１５の裏側に配置されたメッシュ状の裏地５とからなる。他方、膝下の略全周に設けられるベンチレーション部２０ｂは、下脚部表地１２の上側部を約６ｃｍ程オーバーラップする膝前表地１３及び膝後表地１４の開口１３ａ，１４ａと、膝前表地１３及び膝後表地１４の裏側に配置された筒状に形成したメッシュ状の裏地４とからなる。勿論、開口１３ａ，１４ａは、内側に位置する下脚部表地１２をオーバーラップしていれば良く、開口１５ａは、内側に位置する膝後表地１４をオーバーラップしていれば良く、上記数値に何ら限定されるものではなく、例えば約２ｃｍであっても良いし、約３ｃｍ、約４ｃｍ又は約５ｃｍであっても良い。好ましくは、９ｃｍ以下が望ましい。
【００２９】
本実施例の防水性ズボン１００の製造方法は、例えば、
１）先ず、上脚部表地１１、下脚部表地１２、膝前表地１３、膝後表地１４，大腿後背表地１５、メッシュ状の裏地４、５を裁断する。
２）次に、筒状に形成した下脚部表地１２の上端部に、筒状に形成したメッシュ状の裏地４の下端部を縫着する。
３）そして、メッシュ状の裏地５の下端部に膝後表地１４の上端部を縫着する。
４）上記２）と３）の裏地４及び裏地５の上端部と、上記１）の上脚部表地１１の下端部とを膝関節の上部近辺において縫着する。
５）上記４）に、裏地４，５をオーバーラップするように上記１）の膝前表地１３の上端部，及び大腿後背表地１５の上端部を、脚部１０の前後にそれぞれ配置するように上脚部表地１１の下端部に縫着する。
【００３０】
このように製造すると、大腿部後背面においてメッシュ状の裏地４，５が二重に重ねられて形成されるのであるが、このようにする理由は、メッシュ状の裏地４，５の強度と安定性を高め裏地４が捲れにくくするという機能性を高めるためと、デザイン上のファッション性を高めるという点で好ましいからである。さらに、製造しやすい。勿論、ベンチレーション部２０としては、何らメッシュ状の裏地４，５を二重にすることに限定されるわけではなく、大腿部後背面において裏地が一重であっても機能することは言うまでもない。なお、各部の組付け・組合せ方法は、上記手順に示した内側になる生地に外側に位置する生地を重ねて下脚部側から製造していく方法に何ら限定されるものではなく、例えば１）→３）→２）→４）→５）の手順であっても良いし、外側の生地に内側の生地を重ねて上脚部側から製造していく手順であっても良い。後述する実施例２の製造方法についても同様である。
【００３１】
このように防水性ズボン１００によれば、図３に示すように、ベンチレーション部２０を、大腿部後背面と、膝下の略全周とに設けたことにより、後背面においてベンチレーション部２０が上下方向に２段存在し、屈伸運動によって膝が曲げられても膝部の突っ張り感や引っ張られ感がなく、従って屈伸性が良い。さらに、後背面であるから雨水等の侵入を防止できるとともに、特に運動の際に発汗しやすい大腿部後背面の汗を矢印で示したようにベンチレーション２０ａの通風作用により効率よく排出することができる。また、前面においては、下側のベンチレーション部２０ｂを上下方向に１段で膝下の略全周に設けたことにより、膝が曲がってもベンチレーション部２０は下向きであるから雨水等の侵入を防止でき、かつ、矢印で示すような通風作用を有することは言うまでもなく、さらに膝の動きの邪魔にならない。
【００３２】
また、ベンチレーション部２０は、表地１３，１４，１５に設けられた開口１３ａ，１４ａ，１５ａと、表地１３，１４，１５の裏側に配置されたメッシュ状の裏地４，５とからなることにより、公知技術である脚部１０を構成する表地と、メッシュ状の裏地を流用して製造することができ、従って部品点数が少なくてすむ。また、ベンチレーション部２０の構造も複雑でなく、製造容易である。
【００３３】
さらに、膝下の略全周に設けられるベンチレーション部２０ｂは、筒状に形成したメッシュ状の裏地４の上端部を膝関節の上部近辺において、大腿部の表地１１，１３，１５と縫い合わされることで構成されていることにより、脚部の安定性が良く、膝の動きにスムーズに追随し、下脚部のズレ、弛みが生じにくいという優れた機能性を有するとともに、デザイン上も感じが良く優れたファッション性を有する。また、部品点数が少なく、構造も複雑でないし、ベンチレーション部２０を構成する各表地１３、１５及び裏地４，５を、上脚部表地１１の膝関節の上部近辺で縫付ければ良いので、製造容易である。
【００３４】
（実施例２）
他の実施例について図４〜１０を参照して説明する。図４には、脚部１０の股下長さを調整可能とするために、長さ調整用機構３０を備えている実施例２の防水性ズボン１００が示してある。なお、本実施例の防水性ズボン１００は、請求項２〜７に係る発明の全てを含むものである。
【００３５】
長さ調整用機構３０は、図４に示すように、膝下のベンチレーション部２０ｂであって、筒状に形成したメッシュ状の裏地４に設けたところに特徴を有する。さらに、長さ調整用機構３０は、図５に示すように、例えば、非伸縮性の綿、合成繊維等でテープ状に形成したテープ状布３６上に固着されることにより、テープ状布３６を介してメッシュ状の裏地４に形成してある。さらに、長さ調整用機構３０は、図６に示すように、凹凸状のスナップボタン３１，３２から構成された係止具３５からなり、当該係止具３５のうち該凸状のスナップボタン３１がメッシュ状の裏地４の膝下部に相当する位置に上下方向に３箇所形成されている。一方、凹状のスナップボタン３２は、図７に示すように、最下段に位置し、膝下のベンチレーション部２０ｂの内側に位置する表地１２の裏側に配置されて凸状のスナップボタン３１と対応する位置で凸状のスナップボタン３１と対向する向きに取り付けられている。
【００３６】
次の実施例２の防水性ズボン１００の製造方法について、図８及び９を参照して、詳細に説明する。
１）先ず、上脚部表地１１と、下脚部表地１２とを形成し、
２）図８に示すように、この上脚部表地１１の下端部と下脚部表地１２の上端部との間に、筒状に形成したメッシュ状の裏地４を介して縫着し、所定の長さの脚部１０を形成する。
３）さらに、非伸縮性のテープ状布３６上に凸状のスナップボタン３１が所定の間隔（例えば３ｃｍ）で固着されたテープ状布３６を、３本用意する。
４）そして、それらのテープ状布３６を、メッシュ状の裏地４の膝下部に相当する位置に、互いに上下方向に所定の間隔（例えば２ｃｍ）をあけて略全周に縫着することで、脚部１０の股下長さを３段階に調整できるようにする。
５）一方、下脚部表地１２の上端部近郊に凹状のスナップボタン３２を縫着して固着し、この凹状のスナップボタン３２が凸状のスナップボタン３１と対応する位置で凸状のスナップボタン３１に対向する向きになるように、下脚部表地１２の上端を折り返して袋縫いする。なお、凹状のスナップボタン３２の取付については、凸状のスナップボタン３１の取付と同様に非伸縮性のテープ状布を介して縫着すればさらに製造容易である。
【００３７】
６）次に、図９に示すように、脚部１０の膝前側については、膝前表地１３を、メッシュ状の裏地４と下脚部表地１２の上端部から約６ｃｍ程幅の上側部とをオーバーラップするように配置し、
７）膝前表地１３の上端部と上脚部表地１１の前部下端部とを縫着して固定し、膝前表地１３の下端部を下脚部表地１２や裏地４と縫着しないで開口１３ａを形成する。
８）同様にして、脚部１０の膝後側については、メッシュ状の裏地５の下端部に膝後表地１４の上端部を縫着して連結し、
９）この連結した生地を、メッシュ状の裏地４と下脚部表地１２の上端部から約６ｃｍ程幅の上側部とをオーバーラップするように配置し、
１０）この生地の上端部を上脚部表地１１の後背面に縫着して固定し、その下端部を下脚部表地１２や裏地４と縫着しないで開口１４ａを形成する。
１１）さらに、膝前表地１３、膝後表地１４、メッシュ状の表地５を、それぞれの左右側部を互いに縫着して筒状に形成し、膝下のベンチレーション部２０ｂを全周に形成する。
【００３８】
１２）最後に、図示しないが、大腿後背表地１５を、メッシュ状の裏地４と膝後表地１４の上端部から約６ｃｍ程度の幅の上側部とをオーバーラップするように配置し、
１３）大腿後背表地１５の上端部を上脚部表地１１の後背面に縫着して固定し、その下端部を膝後表地１４や裏地５と縫着しないで開口１５ａを形成する。
１４）さらに、大腿後背表地１５の左右側部を、膝前表地１３とメッシュ状の裏地５又は膝後表地１４との縫着ラインに合わせて縫着して、大腿部後背面のベンチレーション部２０ａを全周に形成する。
【００３９】
このように長さ調整用機構３０をメッシュ状の裏地４の膝下に相当する位置に設けたので、表地１３，１４にオーバーラップされて股下長さ調整用であることが外観上一目でわかるものではなくデザイン上も感じが良くファッション性に優れ、股下長さを調整できる。
【００４０】
さらに、長さ調整用機構３０は、メッシュ状の裏地４上に、非伸縮性のテープ状布３６を介して取着してあることにより、係止具３５がテープ状布３６に定間隔を保つように固定されるので、係止する際に対応する凸状のスナップボタン３１と凹状のスナップボタン３２とを合わせて係止具３５を止めやすいし、脚部１０が膝の動きに追随し、下脚部表地１２のズレ、弛みが生じにくい。
【００４１】
さらに、図１０に示すように、長さ調整用機構３０は、凹凸状のスナップボタン３１，３２から構成された係止具３５からなるので、凹状のスナップボタン３２を凸状のスナップボタン３１に係止する位置を変更することにより、脚部１０の股下長さをΔｈ分短くすることができる。また、Δｈ分長くすることもできる。さらに、係止具３５のうち凸状のスナップボタン３１が上下方向に３箇所形成されているので、複数段階に股下長さを調整することができる。また、スナップボタン３１，３２からなることにより製造コストが安価である。
【００４２】
さらに、最下段に位置する係止具３５の凹状のスナップボタン３２は、下脚部表地１２の裏側に配置されて他のスナップボタン３１に対向する向きに取り付けられていることにより、股下長さを調整する際に、下脚部表地１２をいちいち折り返す必要がなく、その作業が煩雑でなく作業しやすい。また、凹状のスナップボタン３２が３段目の凸状のスナップボタン３１と対向する位置に取り付けられているので、凹状のスナップボタン３２を凸状のスナップボタン３１に係止する際に、段違い等に係止することを防止でき、その作業が煩雑でなく係止しやすい。
【００４３】
なお、勿論、開口１３ａ，１４ａ，１５ａは、内側に位置する表地１２，１４をオーバーラップしていれば良く、上記数値に何ら限定されるものではなく、例えば約２ｃｍであっても良いし、約３ｃｍ、約４ｃｍ又は約５ｃｍであっても良い。好ましくは、９ｃｍ以下が望ましい。また、複数のテープ状布３６の上下方向の間隔は、上記数値に何ら限定されるものではなく、例えば約１ｃｍであっても良いし、約２ｃｍ、約３ｃｍ又は約４ｃｍであっても良い。さらに、係止具３５の取付は、上記実施例に何ら限定されるものではなく、例えば凹状のスナップボタン３２を、上下方向に２箇所以上メッシュ状の裏地４に形成し、凸状のスナップボタン３１を凹状のスナップボタン３２に対向するように、下脚部表地１２の裏側に配置しても良い。
【００４４】
以上、実施例に基づいて本発明を説明したが、本発明は上記実施例に何ら限定されるものではなく、本発明の趣旨を逸脱しない範囲内で種々の改良変形が可能である。
【００４５】
【発明の効果】
請求項１記載の防水性ズボンによれば、雨水、雪等の直接の侵入を防止し、かつ通気性を高めるためのベンチレーション部を脚部に備えた防水性ズボンであって、前記ベンチレーション部を、大腿部後背面と、膝下の略全周とに設けたことにより、雨水、雪等の侵入を防止し、かつ、屈伸性が良く、運動によって特に発汗しやすい部分である大腿部後背面及び膝部分に効率よく最適な通風性を兼ね備え、優れた機能性有するとともに、股下長さ調整用であることが外観上一目でわかるものではなくデザイン上も感じが良くファッション性に優れるという効果を奏する。さらに、製造容易である。
【００４６】
また、請求項２記載の防水性ズボンによれば、雨水、雪等の直接の侵入を防止し、かつ通気性を高めるためのベンチレーション部を脚部に備えた防水性ズボンであって、前記ベンチレーション部を、大腿部後背面と、膝下の略全周とに設けるとともに、脚部の長さを調整するために、長さ調整用機構を前記膝下のベンチレーション部に設けたことにより、雨水、雪等の侵入を防止し、かつ、屈伸性が良く、運動によって特に発汗しやすい部分である大腿部後背面及び膝部分に効率よく最適な通風性を兼ね備え、優れた機能性有するとともに、股下長さ調整用であることが外観上一目でわかるものではなくデザイン上も感じが良くファッション性に優れ、股下長さを調整できるという効果を奏する。さらに製造容易である。
【００４７】
また、請求項３記載の防水性ズボンによれば、請求項１又は２に記載の防水性ズボンの奏する効果に加えて、ベンチレーション部は、表地に設けられた開口と、表地の裏側に配置されたメッシュ状の裏地とからなることにより、部品点数が少なく、構造も複雑でなく、特に製造容易であるという効果を奏する。
【００４８】
また、請求項４記載の防水性ズボンによれば、請求項１〜３の何れかに記載の防水性ズボンの奏する効果に加えて、膝下の略全周に設けられるベンチレーション部は、筒状に形成したメッシュ状の裏地の上端部を膝関節の上部近辺において、大腿部の表地と縫い合わされることで構成されていることにより、特に脚部の安定性が良く、膝の動きにスムーズに追随し、下脚部のズレ、弛みが生じにくいという効果を奏する。
【００４９】
また、請求項５記載の防水性ズボンによれば、請求項２記載の防水性ズボンの奏する効果に加えて、ベンチレーション部は、メッシュ状の裏地と、少なくとも下端部においてその裏地と互いに縫着されていない表地とからなり、長さ調整用機構は、前記メッシュ状の裏地上に、非伸縮性のテープ状布を介して取着してあることにより、係止具がテープ状布に定位置に安定するように固定されるので、係止する際に止めやすいし、下脚部のズレ、弛みが生じにくいという効果を奏する。
【００５０】
さらに、請求項６記載の防水性ズボンによれば、請求項２又は５に記載の防水性ズボンの奏する効果に加えて、長さ調整用機構は、凹凸状のスナップボタンから構成された係止具からなり、当該係止具のうち該凹状又は凸状の何れかのスナップボタンが少なくとも上下方向に２箇所以上形成されていることにより、脚部が膝の動きに追随し、ズレが生じにくく、ヨレができにくく、またスナップボタンからなることにより製造コストが安価であるという効果を奏する。
【００５１】
さらに、請求項７記載の防水性ズボンによれば、請求項６記載の防水性ズボンの奏する効果に加えて、最下段に位置する係止具の凹状又は凸状の何れかのスナップボタンは、表地の裏側に配置されて他のスナップボタンに対向する向きに取り付けられていることにより、股下長さを調整する際に、表地をいちいち折り返す必要がなく、その作業が煩雑でなく作業しやすいという効果を奏する。
【図面の簡単な説明】
【図１】本発明に係る防水性ズボンの外観を示す斜視図である。
【図２】図１の実施例１の防水性ズボンの断面図である。
【図３】脚部を屈伸させて運動しているときの状態を示す概念図である。
【図４】実施例２の防水性ズボンの外観を示す斜視図である。
【図５】ベンチレーション部及び長さ調整用機構を示す斜視図である。
【図６】長さ調整用機構を示す斜視図である。
【図７】図６の長さ調整用機構の拡大図であり、図７（ａ）は、長さ調整用機構の正面図であり、図７（ｂ）は、図７（ａ）のＡ−Ａ断面図である。
【図８】脚部に長さ調整用機構を取り付けた状態を示す説明図である。
【図９】脚部に膝下のベンチレーション部を取り付けた状態を示す説明図である。
【図１０】脚部の股下長さを調整する様子を示す説明図であり、図１０（ａ）は股下長さを調整する前の状態を示す図であり、図１０（ｂ）は股下長さを調整した後の状態を示す図である。
【符号の説明】
１０        脚部
１１        上脚部表地
１２        下脚部表地
１３        膝前表地
１４        膝後表地
１５        大腿後背表地
２０        ベンチレーション部
２０ａ      大腿後背面のベンチレーション部
２０ｂ      膝下部のベンチレーション部
４，５      メッシュ状の裏地
１３ａ，１４ａ，１５ａ  開口
３０        長さ調整用機構
３１，３２  凹凸状のスナップボタン
３５        係止具
３６        テープ状布
１００      防水性ズボン
【図１】
2004300618.tif 000003
【図２】
2004300618.tif 000004
【図３】
2004300618.tif 000005
【図４】
2004300618.tif 000006
【図５】
2004300618.tif 000007
【図６】
2004300618.tif 000008
【図７】
2004300618.tif 000009
【図８】
2004300618.tif 000010
【図９】
2004300618.tif 000011
【図１０】
2004300618.tif 000012